(57)【要約】【課題】衣類の任意の箇所に簡単に着脱でき、衣類に孔を開ける必要がない装飾具を提供する。【解決手段】装飾体１０と、装飾体１０に固定される雄部材２０と、雄部材２０と相互に嵌り合う雌部材３０とを備えている。雄部材２０が装飾体１０に対する固定板部２１と、固定板部２１の表面から突き出す突出軸部２２と、突出軸部２２の先端に形成された係止頭部２５とを有し、雌部材３０は雄部材２０の突出軸部２２が嵌る嵌合孔３２を有する基板部３１を有する。嵌合孔３２の周縁部に外向きの切欠き３５が周方向に四箇所形成され、隣り合う切欠き３５の間に位置する嵌合孔３２の周縁部３４が弾性変形可能に形成されている。突出軸部２２が嵌合孔３２に嵌合する状態で、係止頭部２５が嵌合孔３２の周縁部３４に係合する。【選択図】図１
0003186790.tif 000002
【実用新案登録請求の範囲】
【請求項１】
装飾体と、その装飾体に固定される雄部材と、その雄部材と相互に嵌り合う雌部材とを備え、前記雄部材が前記装飾体に対する固定板部と、その固定板部の表面から突き出す突出軸部と、その突出軸部の先端に形成された係止頭部とを有し、前記雌部材は前記雄部材の突出軸部が嵌る嵌合孔を有する基板部を有し、その嵌合孔の周縁部が前記嵌合孔の広がる向きに弾性変形可能に形成され、前記突出軸部が前記嵌合孔に嵌合する状態で、前記係止頭部が前記雌部材の嵌合孔の周縁部に係合するようにした装飾具。
【請求項２】
前記雌部材の嵌合孔の周縁部に外向きの切欠きが周方向に複数形成された請求項１に記載の装飾具。
【考案の詳細な説明】
【技術分野】
【０００１】
この考案は、ストッキング、ショール、またはストールなどの衣類に対して、着脱することができる装飾具に関する。
【背景技術】
【０００２】
従来から、ブローチやペンダントなどの装飾具は、衣服や帽子など衣類に対して、その一部に安全ピンにより固定したり、孔を開けて固定具により固定したりするものが知られている（例えば、実開平３−３３５０９号公報参照）。
【０００３】
また、アクセサリーの本体を構成する装飾体とその裏面に設けた取り付け部とを備え、その取り付け部を伸縮可能な環状に形成し、その取り付け部を衣服のボタンに取り付けるようにした装飾具が知られている（例えば、実開平５−６３３１０号公報参照）。
【考案の概要】
【考案が解決しようとする課題】
【０００４】
しかしながら、上述の衣類に対して孔を開けて固定する装飾具では、あらかじめ衣類の生地に孔を開ける必要があり、着脱を繰り返すことにより、その孔が大きくなり生地が破れる恐れがある。
【０００５】
また、環状の取り付け部を備えた装飾具の場合、このような取り付け構造では、取り付け箇所が衣服のボタンのある位置に限定され、汎用性、ファッション性に欠けるという問題がある。
【０００６】
そこで、この考案の課題は、衣類の任意の箇所に簡単に着脱でき、衣類の生地に孔を開ける必要がない装飾具を提供することにある。
【課題を解決するための手段】
【０００７】
上記の課題を解決するために、装飾体と、その装飾体に固定される雄部材と、その雄部材と相互に嵌り合う雌部材とを備え、前記雄部材が前記装飾体に対する固定板部と、その固定板部の表面から突き出す突出軸部と、その突出軸部の先端に形成された係止頭部とを有し、前記雌部材は前記雄部材の突出軸部が嵌る嵌合孔を有する基板部を有し、その嵌合孔の周縁部が前記嵌合孔の広がる向きに弾性変形可能に形成され、前記突出部軸部が前記嵌合孔に嵌合する状態で、前記係止頭部が前記雌部材の嵌合孔の周縁部に係合するようにした構成を採用することができる。
【０００８】
また、前記雌部材の嵌合孔の周縁部に外向きの切欠きが周方向に複数形成された構成を採用することができる。
【考案の効果】
【０００９】
この考案は、衣類の表面側に雄部材を、裏面側に雌部材を配置し、衣類の生地を挟むようにして、雄部材の突出軸部が雌部材の嵌合孔に嵌り合い、嵌合孔の周縁部に係止頭部が係合するため、衣類の任意の位置に取り付けることができる。
【００１０】
また、雄部材の係止頭部の周りに衣類の生地が覆う状態で、突出軸部を嵌合孔に嵌め合わせて、嵌合孔の周縁部に係止頭部が係合するので、衣類の生地に孔を開ける必要がなく、その生地を傷めることがない。
【図面の簡単な説明】
【００１１】
【図１】この考案に係る装飾具の第一の実施形態を示す斜視図
【図２】同上の装飾具の使用前の状態を示す正面図
【図３】(ａ)同上の装飾具の使用直前の状態を示す正面図、（ｂ）同上の装飾具の使用状態を示す正面図
【図４】同上の装飾体と雄部材との他の固定態様を示す正面図
【図５】この考案に係る装飾体の第二の実施形態を示す正面図
【図６】この考案に係る装飾体の第三の実施態様を示す正面図
【考案を実施するための形態】
【００１２】
以下、この考案に係る装飾具の第一の実施形態を図１〜４に示す。
この装飾具１は、図１、２に示すように、装飾体１０と、装飾体１０の裏面に固定される雄部材２０と、雄部材２０と相互に嵌り合う雌部材３０とを備えている。
【００１３】
装飾体１０は、ブローチやペンダントなどのアクセサリーの本体を構成するものであり、その裏面部１１が金属により形成されている。なお、装飾体１０としては、裏面部１１が金属製に限られず、編物若しくは織物からなる布地、ガラス、若しくはプラスチックまたはこれらを組み合わせたものから形成することができる。
【００１４】
装飾体１０の裏面部１１に固定される雄部材２０は、弾性を有する合成樹脂製であり、装飾体１０の裏面部１１に対する固定板部２１と、その固定板部２１の中央から突き出す突出軸部２２とを有している。固定板部２１は円板状に形成され、その表面中央から突出軸部２２が突き出しており、突出軸部２２の周囲において、円弧状の長孔２３が周方向の四箇所に等間隔で形成されている。
【００１５】
固定板部２１は、図２に示すように、装飾体１０の裏面部１１に対して、フェルト、織物、編物、不織布などの布地からなるスペーサ２４を介して接着材により固定されている。突出軸部２２はその先端に係止頭部２５が形成され、係止頭部２５は、突出軸部２２の径よりも大きい外径を有する円板状をなし、突出軸部２２と同心状にかつ一体に形成されている。
【００１６】
装飾体１０の裏面部１１に対する固定板部２１の固定は、装飾体１０の裏面部１１の素材に応じて変更することができる。例えば、図４に示すように、装飾体１０の裏面部１１の素材が合成樹脂、布地等であれば、スペーサ２４を用いることなく、装飾体１０の裏面部１１に対して接着剤により固定板部２１を固定することができる。
【００１７】
雄部材２０と相互に嵌り合う雌部材３０は、合成樹脂製の円板状の基板部３１の中央に嵌合孔３２が形成されたものである。基板部３１は、雄部材２０の固定板部２１と同じ外径、同じ厚みに形成されている。また、基板部３１の周囲において、円弧状の長孔３３が周方向の四箇所に等間隔で形成されている。
【００１８】
また、基板部３１の嵌合孔３２は、雄部材２０の突出軸部２２が挿通可能な内径を有しており、その周縁部３４に径方向外向きの切欠き３５が周方向四箇所に等間隔に形成されている。各切欠き３５は、基板部３１の隣り合う長孔３３の間に向かって延びており、嵌合孔３２の周縁部３４を四つに分けている。
【００１９】
切欠き３５は、必要に応じて、その嵌合孔３２の周縁部３４に形成しなくてもよいが、切欠き３５が形成されると、四つに分けられた嵌合孔３２の周縁部３４のそれぞれが、弾性変形し易くなる。
【００２０】
四つに分けられた嵌合孔３２の周縁部３４は、嵌合孔３２と長孔３３との間にそれぞれ形成されており、雄部材２０の係止頭部２５が押し付けられたとき、その押し付け方向に弾性変形可能に形成されている（図３（ａ）参照）。なお、切欠き３５は、嵌合孔３２の周縁部３４の四箇所に形成されているが、少なくとも二箇所以上に形成すればよく、三箇所、五箇所、六箇所・・・と形成することができる。要は、嵌合孔３２の周縁部３４が複数箇所に分けられ、その分けられた周縁部３４が、弾性変形可能に形成されればよい。
【００２１】
装飾具１は以上のように構成され、次にその使用方法を図面に基づいて説明する。
装飾具１は、身に着けるものである衣類のうち、ストッキング、ショール、またはストールなどの生地の厚さの薄い衣類４０に対して取り付けることで使用することができる。なお、「生地の厚さの薄い」とは、雄部材２０の係止頭部２５の周りに衣類４０の生地が覆う状態で、雄部材２０の突出軸部２２を雌部材３０の嵌合孔３２に嵌め合わせることが可能な布地の厚さを意味する。
【００２２】
まず、図２に示すように、上述の衣類４０の表面側に装飾体１０及び雄部材２０を配置し、裏面側に雌部材３０を配置する。その後、雌部材３０を雄部材２０に接近させて、雄部材２０の係止頭部２５を雌部材３０の嵌合孔３２の周縁部３４に押し付ける（図３（ａ）参照）。
【００２３】
このとき、衣類４０は、その生地が雄部材２０の係止頭部２５を覆う状態となり、生地で覆われた係止頭部２５により、雌部材３０の嵌合孔３２の周縁部３４が押し付けられて、押し付け方向に弾性変形し、嵌合孔３２の開口が大きくなる。
【００２４】
さらに、雄部材２０の係止頭部２５を雌部材３０の嵌合孔３２の周縁部３４に押し付けることにより、係止頭部２５が嵌合孔３２を通過して、嵌合孔３２の周縁部３４の弾性変形が復元する（図３（ｂ）参照）。
【００２５】
復元した嵌合孔３２の周縁部３４は、雄部材２０の突出軸部２２が雌部材３０の嵌合孔３２に嵌合する状態で、係止頭部２５に係合する。そして、雄部材２０と雌部材３０とが、衣類４０の生地を挟み込んだ状態で相互に嵌め合わされる。
【００２６】
この嵌め合わせにより、装飾具１を衣類４０の任意の位置に取り付ける事が可能となる。また、衣類４０の布地は、雄部材２０の係止頭部２５を覆う状態となっているため、孔を開ける必要がなく、衣類４０を傷つけない。
【００２７】
この考案の第二の実施形態に係る装飾具１を図５に示す。この実施形態の装飾具１は、図５に示すように、装飾体１０の裏面部１１に、雄部材２０の固定板部２１が嵌る凹部１１ａが形成されている点で、上述の第一の実施形態の装飾具１と相違する。その他の構成は第一の実施形態のものと同様である。
【００２８】
この実施形態に係る装飾具１は、装飾体１０の裏面部１１に形成された凹部１１ａに雄部材２０の固定板部２１が嵌め込まれる。この嵌め込み状態で、接着剤により装飾体１０の裏面部１１に雄部材２０の固定板部２１を固定する。
【００２９】
このように雄部材２０の固定板部２１が固定された装飾体１０を上述の衣類４０の表面側に配置し、裏面側に雌部材３０を配置し、雌部材３０を雄部材２０に接近させる。その後、雄部材２０の係止頭部２５を雌部材３０の嵌合孔３２の周縁部３４に押し付け、上述の第一の実施形態の場合と同様にして、雄部材２０と雌部材３０とが、衣類４０の生地を挟み込んだ状態で相互に嵌め合わされる。
【００３０】
次に、この考案の第三の実施形態に係る装飾具１を図６に示す。この実施形態の装飾具１は、図６（ａ）に示すように、装飾体１２の形態が布製のリボンを蝶結びしたものであって、装飾体１２の裏面部１３に対する雄部材２０の固定手段が上述の第一の実施形態の装飾具１と相違する。その他の構成は第一の実施形態のものと同様である。
【００３１】
すなわち、この実施形態の装飾具１では、装飾体１２のリボンの結び目の裏側が裏面部１３とされ、図６（ｂ）に示すように、その裏面部１３に対して雄部材２０が糸２６の縫い付けにより固定される。このとき、雄部材２０の突出軸部２２を挟んで両側において、隣り合う二つの長孔２３、２３の間と装飾体１２の裏面部１３とが糸２６により縫い付けられている。
【００３２】
このように構成される装飾具１は、上述の第一の実施形態の場合と同様に、衣類４０の表面側に装飾体１２及び雄部材２０を配置し、衣類４０の裏面側に雌部材３０を配置する。
【００３３】
その後、雌部材３０を雄部材２０に接近させて、雄部材２０の係止頭部２５を雌部材３０の嵌合孔３２の周縁部３４に押し付け、雄部材２０と雌部材３０とを、衣類４０の布地を挟み込んだ状態で相互に嵌め合わせる。
【符号の説明】
【００３４】
１  装飾具
１０  装飾体
１１  裏面部
１１ａ  凹部
１２  装飾体
１３  裏面部
２０  雄部材
２１  固定板部
２２  突出軸部
２３  長孔
２４  スペーサ
２５  係止頭部
２６  糸
３０  雌部材
３１  基板部
３２  嵌合孔
３３  長孔
３４  周縁部
４０  衣類
【図１】
0003186790.tif 000003
【図２】
0003186790.tif 000004
【図３】
0003186790.tif 000005
【図４】
0003186790.tif 000006
【図５】
0003186790.tif 000007
【図６】
0003186790.tif 000008